(57)【要約】【課題】製造時の組立て容易性を確保しつつ、表示装置を引出した引出状態において、スナップフィット結合の外れを抑制できる撮像装置を提供する。【解決手段】デジタルカメラ１０は、固定筒２５と、固定筒２５と連結し、当該固定筒２５に対して相対的に移動して相対距離が縮まった際にファインダユニット１４の収納状態を形成し、相対距離が伸びた際にファインダユニット１４の引出状態を形成する移動筒３２と、当該移動筒３２とスナップフィット結合して、固定筒２５に対して移動筒３２と一体に移動する接眼ラバー１６とを備え、固定筒２５は、移動筒３２との連結端に、ファインダユニット１４の引出状態においてスナップフィット結合の外れを抑制し、ファインダユニット１４の収納状態においてスナップフィット結合の外れを抑制しないリブ２５ａを有する。【選択図】  図８
2020122826.tif 000002
【特許請求の範囲】
【請求項１】
第１の筒状部材と、
前記第１の筒状部材と連結し、当該第１の筒状部材に対して相対的に移動して相対距離が縮まった際に表示装置の収納状態を形成し、前記相対距離が伸びた際に表示装置の引出状態を形成する第２の筒状部材と、
前記第２の筒状部材とスナップフィット結合し、前記第１の筒状部材に対して前記第２の筒状部材と一体に移動する第３の筒状部材と、
を備え、
前記第１の筒状部材は、前記第２の筒状部材と連結する連結端に、前記表示装置の引出状態において前記スナップフィット結合の外れを抑制し、前記表示装置の収納状態において前記スナップフィット結合の外れを抑制しない締付け部を有する
ことを特徴とする撮像装置。
【請求項２】
前記締付け部は、前記連結端から前記表示装置の光軸に向かって突出するように形成されたリブ部であることを特徴とする請求項１記載の撮像装置。
【請求項３】
前記表示装置の引出状態におけるスナップフィット結合部分と前記第１の筒状部材の内壁面との隙間が、前記表示装置の収納状態における前記スナップフィット結合部分と前記第１の筒状部材の内壁面との隙間よりも狭いことを特徴とする請求項1又は２記載の撮像装置。
【請求項４】
前記表示装置の引出状態において、スナップフィット結合部分における前記第２の筒状部材と前記第３の筒状部材との係合幅Ｄ１は、前記スナップフィット結合部分における前記第１の筒状部材と前記第２の筒状部材との隙間Ｄ２よりも大きいことを特徴とする請求項１乃至３の何れか１項に記載の撮像装置。
【請求項５】
前記第３の筒状部材は、モールド部材で構成されたアイピースカバーであり、
前記アイピースカバーの外周部を撓ませると前記スナップフィット結合が外れ易くなることを特徴とする請求項１乃至４の何れか１項に記載の撮像装置。
【請求項６】
前記第２の筒状部材は係止部を有し、
前記第３の筒状部材はフック部を有し、
前記係止部が前記フック部に嵌合することによって前記第２の筒状部材と第３の筒状部材がスナップフィット結合していることを特徴とする請求項１乃至５の何れか１項に記載の撮像装置。
【請求項７】
前記第２の筒状部材は、摺動筒であり、前記表示装置の視度調整機構を備えていることを特徴とする請求項１乃至６の何れか１項に記載の撮像装置。
【請求項８】
前記視度調整機構は、前記第２の筒状部材とレンズとの相対距離を可変して前記視度を調整することを特徴とする請求項７記載の撮像装置。
【請求項９】
前記第１の筒状部材は、ガイド部材を備えた固定筒であり、前記第２の筒状部材は、前記ガイド部材に沿って前記第１の筒状部材に対して相対的に移動することを特徴とする請求項１乃至８の何れか１項に記載の撮像装置。
【請求項１０】
前記第１の筒状部材の前記連結端に対向する端部に画像表示部が配置されており、
スナップフィット結合部は前記画像表示部の光軸方向の投影面内に配置されていることを特徴とする請求項１乃至９の何れか１項に記載の撮像装置。
【発明の詳細な説明】
【技術分野】
【０００１】
本発明は、撮像装置に関し、特に、電子ビューファインダー等の表示装置を備えたデジタルスチルカメラ、デジタルビデオカメラをはじめとする撮像装置に関する。
【背景技術】
【０００２】
従来から、表示装置としての電子ビューファインダーを備えた撮像装置において、装置の小型化を図るために、装置本体内に電子ビューファインダーを収納可能に設けた撮像装置が知られている。例えば、特許文献１には、本体に沿って収納された電子ビューファインダーをユーザが手前に引き出して使用するように構成された撮像装置が開示されている。
【０００３】
ところで、拡大光学系を伸縮させることによって縮めた収納状態と伸ばした引出状態とを有する電子ビューファインダーの組み立て方法として、スナップフィット方式が好適に採用されている。スナップフィット方式に関する文献として特許文献２が挙げられる。特許文献２には、結合体のスナップフィット結合用弾性片を所定位置まで摺動し、弾性復帰させて被結合体の係合部と係合させ、外筐内面と結合部との間隔を、当該結合部の結合が解除される方向における両者の結合量よりも小さくした技術が開示されている。
【先行技術文献】
【特許文献】
【０００４】
【特許文献１】特許第３６７７９９１号明細書
【特許文献２】特開２００９−１０９９０１号公報
【発明の概要】
【発明が解決しようとする課題】
【０００５】
しかしながら、特許文献１記載の技術には、電子ビューファインダーを使用する際、引出した電子ビューファインダーが装置本体から外れ易いという問題があった。すなわち、電子ビューファインダーを使用するために装置本体から引っ張り出すとストッパーが機能する構成となっているが、アイピースカバーの外側を撓ませると内側のスナップフィット部が外れ易くなり、力を入れると抜け落ちてしまう場合がある。電子ビューファインダーが抜け落ちるとパネル内にゴミが入り易くなり、拡大光学系でゴミが拡大されて見えるという新たな問題が発生する。
【０００６】
また、特許文献２記載の技術のようにスナップフィットが外れないように外筐内面とレンズホルダの係合部又は結合体の結合部との間隔をスナップフィットの結合量より小さくした場合でもスナップフィット結合が外れるという問題があった。すなわち、電子ビューファインダーを手で引っ張る際の手の力には個人差があり、かなり大きな力で引っ張った場合、外筐が弾性変形してスナップフィット結合が外れることがあった。特に、引出式ビューファインダーでは、ファインダーを引出した使用状態では、外筐と引出されたファインダーとの距離が大きくなり、かつ外筐の壁面とビューファインダーとの接合量が少なくなる。また、外筐の壁部は変形し易い。このような種々の理由が重なってスナップフィット結合が外れ易くなることがある。一方、スナップフィット結合を外れ難くするために、スナップフィット結合するための弾性部分を固くすると、製造時の組み立て容易性が低下するという問題が発生する。
【０００７】
本発明は、表示装置を装置本体内に収納可能な撮像装置であって、製造時の組立て容易性を確保しつつ、表示装置を引出した引出状態においてスナップフィットの外れを防止することができる撮像装置を提供することを目的とする。
【課題を解決するための手段】
【０００８】
上記目的を達成するために、請求項１記載の撮像装置は、第１の筒状部材と、前記第１の筒状部材と連結し、当該第１の筒状部材に対して相対的に移動して相対距離が縮まった際に表示装置の収納状態を形成し、前記相対距離が伸びた際に表示装置の引出状態を形成する第２の筒状部材と、前記第２の筒状部材とスナップフィット結合し、前記第１の筒状部材に対して前記第２の筒状部材と一体に移動する第３の筒状部材と、を備え、前記第１の筒状部材は、前記第２の筒状部材と連結する連結端に、前記表示装置の引出状態において前記スナップフィット結合の外れを抑制し、前記表示装置の収納状態において前記スナップフィット結合の外れを抑制しない締付け部を有することを特徴とする。
【発明の効果】
【０００９】
本発明によれば、第１の筒状部材が、第２の筒状部材と連結する連結端に、相対距離が伸びた引出状態においてスナップフィット結合の外れを抑制し、相対距離が縮まった収納状態においてスナップフィット結合の外れを抑制しない締付け部を有する。これによって、第２の筒状部材を引出した引出状態でスナップフィット結合が解除されず、第２の筒状部材を収納した収納状態で、スナップフィット結合の解除が可能になる。従って、収納状態において組立て容易性を確保しつつ、引出状態においてスナップフィット結合の結合力を補強して外れを防止することができる。
【図面の簡単な説明】
【００１０】
【図１】実施の形態に係る撮像装置の斜視図である。
【図２】図１の撮像装置におけるファインダユニットの斜視図である。
【図３】図１の撮像装置におけるファインダユニットの分解斜視図である。
【図４】ファインダユニットの光軸Ｃに沿った縦断面図である。
【図５】ファインダユニットの収納状態におけるガイドバー位置での横断面図である。
【図６】ファインダユニットの一部を構成するパネルユニットの斜視図である。
【図７】ファインダユニットの収納状態におけるボール位置での横断面図である。
【図８】ファインダユニットのスナップフィット部分を示す横断面図である。
【図９】ファインダユニットの引出状態における板バネに沿った縦断面図である。
【図１０】撮像装置における検出スイッチを説明するための図である。
【図１１】撮像装置の背面図である。
【図１２】ＬＣＤユニットを１８０°チルトさせた状態の撮像装置を示す側面図である。
【図１３】レンズ鏡筒ユニットとファインダユニットと検出スイッチの位置関係を示す図である。
【図１４】レンズ鏡筒ユニットとファインダユニットと検出スイッチの位置関係を示す模式図である。
【図１５】摺動筒及び表示パネルを光軸方向の＋Ｚ側から見た図である。
【図１６】従来の撮像装置におけるパネルユニットの斜視図である。
【発明を実施するための形態】
【００１１】
以下、本発明の実施の形態について図面を参照しつつ詳細に説明する。
【００１２】
図１は、本発明の実施の形態に係る撮像装置の斜視図である。図１において、撮像装置としてのデジタルカメラが示されている。デジタルカメラ１０は、ストロボユニット１１、ポップアップユニット１２及びレンズ鏡筒ユニット１３を備えている。ポップアップユニット１２は、デジタルカメラ１０の本体に収納された状態（ａ）から、デジタルカメラ１０の本体から上方に突出した状態（ｂ）へと状態移行可能に構成されている。ポップアップユニット１２を装置本体に収納可能に構成することによって、装置本体の上面をフラットな外観面とすることができる。
【００１３】
本実施の形態のスナップフィット（ｓｎａｐ-fit）とは、金属やプラスチックなどの結合に用いられる機械的接合法の一種で、材料の弾性を利用してはめ込むことにより固定する方式のことである。
【００１４】
以下、便宜上、デジタルカメラ１０の前後方向をＺ方向という。また、Ｚ方向のうち前方と後方を区別する際は、デジタルカメラ１０の前方、すなわち、レンズ鏡筒ユニット１３側（被写体側）をマイナス方向（−Ｚ方向）と言い、後方をプラス方向（＋Ｚ方向）という。従って、図１（ａ）、（ｂ）、（ｃ）は、デジタルカメラ１０をそれぞれ−Ｚ側（被写体側)から見た斜視図である。Ｚ方向は、レンズ鏡筒ユニット１３の光軸（撮影光軸）方向と平行である。
【００１５】
図１の（ｃ）に示したように、ポップアップユニット１２は、接眼ラバー１６を備えた電子ビューファインダユニット（以下、「ファインダユニット」という。）１４を内包しており、ファインダユニット１４は、表示装置として機能する。
【００１６】
ポップアップユニット１２が上方に突出した状態で、ファインダユニット１４はポップアップユニット１２に対してＺ方向に収納及び引出し可能に構成されている。カメラのユーザは、ファインダユニット１４の外観に露出している接眼ラバー１６を後方（＋Ｚ方向）に引き出すことによって、ファインダユニット１４が使用可能な引出状態へ移行する。図１の（ｂ）は、ファインダユニット１４の収納状態を示し、（ｃ）は、ファインダユニット１４の引出状態を示す。引出状態において、ユーザが、後述する視度調整機構を使用して視度を合わせると、ファインダユニット１４の内部に設けられた表示パネルに表示される画像をぼやけることなく確認することができるようになる。
【００１７】
図２は、図１の撮像装置におけるファインダユニット１４の斜視図であり、（ａ）は、収納状態を示し、（ｂ）は、引出状態を示す。図２において、ファインダユニット１４は、接眼ラバー１６と、接眼ガラス１５を備えており、その上面に視度調整レバー２８が設けられている。視度調整レバー２８は、ユーザの視力に合わせてファインダユニット１４の視度を調整するための操作部材である。ファインダユニット１４を引出状態にすることによって、ユーザは、視度調整レバー２８を操作できるようになる。引出状態時のみに視度調整レバー２８を操作可能な構成とすることによって、ユーザによって合わせられた視度設定が、当該ユーザが意図せずに変更されるのを回避することができる。
【００１８】
図３は、図１の撮像装置におけるファインダユニットの分解斜視図である。
【００１９】
図３において、ファインダユニット１４は、構成部品として、接眼ガラス１５、接眼ラバー１６（第３の筒状部材）、バネ１８、レンズカバー１９、第２のレンズ２０、マスク２１、第１のレンズ２２、レンズホルダ２３、検出スイッチ２４を備えている。また、ファインダユニット１４は、構成部品として、固定筒２５（第１の筒状部材）、摺動筒３２（第２の筒状部材）、板バネ３１、ボール３０、ガイドバー２６、カム２７、レバー２８、Ｏリング２９を備えている。さらに、ファインダユニット１４は、パネルカバー３３、通気シート３４、防塵ガラス３５、及び表示パネル３６を備えている。
【００２０】
カム２７は、視度調整機構の構成部材であり、レバー２８とＯリング２９と協働して視度調整機構を構成する。視度調整機構は、摺動筒３２と、レンズホルダ２３に保持された第１のレンズ２２及び第２のレンズ２０との相対距離を可変して視度を調整する。第１のレンズ２２及び第２のレンズ２０の光軸がファインダユニット１４の光軸Ｃとなる。光軸Ｃ方向は、Ｚ方向と略平行である。
【００２１】
図４は、ファインダユニット１４の光軸Ｃに沿った縦断面図であり、（ａ）は、ファインダユニット１４の収納状態を示し、（ｂ）は、ファインダユニット１４の引出状態を示す。
【００２２】
図４の（ａ）において、ファインダユニット１４の光軸Ｃ方向は、Ｚ方向と略平行である。レンズホルダ２３は、上述した図３から分かるように、第１のレンズ２２及び第２のレンズ２０を保持している。すなわち、レンズホルダ２３は、レンズカバー１９と係合固定されることにより、第１のレンズ２２と、マスク２１と、第２のレンズ２０とを固定的に保持する。レンズホルダ２３にはカムフォロワ３７（図３）が設けられている。
【００２３】
カムフォロワ３７を押圧するカム２７は、図４（ａ）、（ｂ）において、摺動筒３２（第２の筒状部材）の上部に配置されている。摺動筒３２の内側には、第１のレンズ２２及び第２のレンズ２０を保持するレンズホルダ２３をＺ方向に直進ガイドするための嵌合溝部が設けられている。
【００２４】
以下、レンズホルダ２３のカムフォロワ３７をカム２７に対して付勢するバネ１８について説明する。
【００２５】
図５は、ファインダユニットの収納状態におけるガイドバー位置での横断面図である。図５において、レンズホルダ２３のカムフォロワ３７をカム２７に対して付勢するバネ１８は、図中、接眼ラバー１６とレンズホルダ２３との間に設けられている。バネ１８がレンズホルダ２３を−Ｚ方向に付勢することで、カムフォロワ３７がカム２７に押し付けられている。ユーザが視度調整レバー２８を動かすことによって、摺動筒３２に対してレンズホルダ２３をＺ方向（光軸方向）に相対移動させることが可能に構成されている。摺動筒３２が摺動する際のガイド部材であるガイドバー２６は、パネルカバー３３に支持されており、パネルカバー３３には、ガイドバー２６を支持するための穴４６、４７が設けられている。
【００２６】
図６は、ファインダユニット１４の一部を構成するパネルユニット４４の斜視図である。
【００２７】
図６において、画像表示部としてのパネルユニット４４は、パネルカバー３３と防塵ガラス３５などがユニット化されることによって構成されている。パネルユニット４４は、主として、表示パネル３６を保持している部分と、防塵ガラス３５を保持している凸部４３とを有する。パネルカバー３３には、２本のガイドバー２６をそれぞれ支持するための穴４６、４７が形成されている。
【００２８】
また、図３から明らかなように、ファインダユニット１４は、表示パネル３６に表示された画像を覗くための開口部を備えており、開口部には、同様の開口を有する接眼ラバー１６が配置されている。接眼ラバー１６（第３の筒状部材部）は、樹脂等のモールド部材で成形されており、接眼部はゴムで構成されている。すなわち、接眼ラバー１６は、２部材を一体にした２色成形部品である。接眼ラバー１６の開口部には、外部からゴミが侵入してレンズ部等に付着することを防止するために、透明の接眼ガラス１５が固定されている。
【００２９】
一方、表示パネル３６は、図６に示したように、パネルカバー３３に固定支持されており、パネルカバー３３には、表示パネル３６に表示された画像を覗くための開口部３３ａが設けられている（図４（ａ）、（ｂ）参照）。そして、表示パネル３６の＋Ｚ方向の面には、外部から侵入したゴミが付着するのを防止するために、パネルカバー３３の開口部３３ａに防塵ガラス３５が固定されている。このような構成によって、接眼ガラス１５から表示パネル３６までの間にゴミが入らないような密閉構造が実現されている。
【００３０】
また、上述した図４（ａ）、（ｂ）から分かるように、パネルカバー３３には、ファインダユニット１４の外部と内部とを繋げる通気用の開口部３３ｂが設けられている。開口部３３ｂは、通気シート３４で覆われている。通気シート３４は、通気性があるシート部材であり、例えば、１μｍより大きなゴミ等の粒子を通過させないように構成されている。通気シート３４を設けるのは、ユーザが、ファインダユニット１４の引出、収納操作を行った際に、密閉空間の圧力が急激に変化して微小な隙間からゴミ等を含んだ空気が出入りしないようにするためである。通気シート３４の通気孔により、密閉空間の圧力の急激な変化が緩和されている。
【００３１】
図３に戻り、ファインダユニット１４の構成部材である固定筒２５（第１の筒状部材）には、上述したパネルカバー３３と、同様、ガイドバー２６を支持するための穴が形成されている。ガイドバー２６は、図５に示したように光軸方向における固定筒２５とパネルカバー３３との間に、光軸方向と略平行に配置され、固定筒２５とパネルカバー３３とにより両持ち状態で支持されている。
【００３２】
摺動筒３２の外周部には、外周側に張り出した張出部４１が形成されており、この張出部４１には、ガイドバー２６が貫通するためのガイド孔４２が形成されている。固定筒２５とパネルカバー３３とは互いに係合している。摺動筒３２は、ガイドバー２６にガイドされて、固定筒２５に対してＺ方向（光軸方向）に相対移動可能に構成されている。両持ち固定されたガイドバー２６に沿って摺動筒３２が固定筒２５に対して移動するので、摺動筒３２は精度良く動くことができる。
【００３３】
また、張出部４１を含む、光軸方向に直交する摺動筒３２の外周部には、固定筒２５と摺動筒３２との隙間を密閉しながら、摺動筒３２が摺動するためのシリコーンゴム３８（封止部材）が全周に配置されている。張出部４１は、摺動筒３２の−Ｚ方向の端部に配置されている。このような配置により、接眼ラバー１６を引き出して引出状態にしたとき、表示パネル３６の表示面から接眼ガラス１５までの光学全長を長くすることができ、光学性能の向上が図られている。なお、封止部材としてシリコーンゴム３８を適用したが、固定筒２５と摺動筒３２との隙間を密閉できる部材であれば、封止部材の素材は問わない。
【００３４】
摺動筒３２には、接眼ラバー１６が結合されている。接眼ラバー１６と摺動筒３２はスナップフィットにより結合されている。ユーザが接眼ラバー１６を＋Ｚ方向に引き出すことによって固定筒２５に対して、３つの筒状部材（接眼ラバー１６、摺動筒３２、レンズホルダ２３）が一体的に相対移動し、ファインダユニット１４が引出状態（図１（ｃ）、図２（ｂ））となる。スナップフィット結合の詳細については、後述する。
【００３５】
ファインダユニット１４は、２本のガイドバー２６の他２個のボール３０を有する。
【００３６】
図７は、ファインダユニット１４の収納状態におけるボール３０の位置での横断面図である。図７において、固定筒２５にはボール穴３９が形成されている。そして、摺動筒３２には、光軸方向の異なる２箇所に、ボール溝４０（４０Ａ、４０Ｂ）が形成されている。ボール３０が、ボール穴３９といずれかのボール溝４０に嵌った状態で、ボール３０を板バネ３１が光軸方向と直交する方向に付勢することで、固定筒２５に対する摺動筒３２の光軸方向の位置を２つの安定位置に規制している。すなわち、ボール３０がボール穴３９とボール溝４０Ａとに嵌った状態で板バネ３１により付勢されることによって、図７に示すファインダユニット１４の収納状態が規制される。一方、ボール３０がボール穴３９とボール溝４０Ｂとに嵌った状態で板バネ３１により付勢されることによって、ファインダユニット１４の引出状態が規制される。
【００３７】
次に、本実施の形態におけるスナップフィット結合について詳細に説明する。
【００３８】
図８は、ファインダユニット１４のスナップフィット部分を示す横断面図であり、（ａ）は、ファインダユニット１４の引出状態を示し、（ｂ）は、ファインダユニット１４の収納状態を示す。また、図９は、ファインダユニット１４の引出状態における板バネ３１に沿った縦断面図である。
【００３９】
図８の（ａ）において、摺動筒３２と接眼ラバー１６がスナップフィットによって結合されている。スナップフィットによって結合された摺動筒３２と接眼ラバー１６は、一体となって、固定筒２５に対して相対的に移動する。
【００４０】
固定筒２５は、摺動筒３２と連結しており、摺動筒３２との連結端に、当該連結端から光軸Ｃに向かって内側に突出するように設けられたリブ部２５ａを備えている。リブ部２５ａは、スナップフィット結合部を締め付ける締付け部として機能する。摺動筒３２の外周部には、スナップフィットのための係止部３２ａが設けられている。また、接眼ラバー１６は、接眼部分から−Ｚ方向に長く伸びた延接部を備えており、延接部には、フック部１６ｂが設けられている。フック部１６ｂは、スナップフィットのための部材であり、図９に示したように長孔を備えている。摺動筒３２に対して接眼ラバー１６を相互の相対距離を縮めるようにして嵌合させると、接眼ラバー１６のフック部１６ｂが弾性変形する。フック部１６ｂが弾性変形することにより、摺動筒３２の係止部３２ａを乗り越え、弾性変形が元に戻ることにより長孔に係止部３２ａが入り込み、スナップフィット結合が完成する。
【００４１】
接眼ラバー１６（アイピースカバー）は、構造上、当該接眼ラバー１６の外側を撓ませると内側のスナップフィット部分も開きやすい形状になっている。組み立て時、ファインダユニット１４は、図８（ｂ）のような収納状態にあり、この収納状態において、スナップフィット結合は比較的外れ易い状態となる。一方、図８（ａ）のようなファインダユニット１４の引出状態において、フック部１６ｂは、その先端が摺動筒３２と固定筒２５の一部であって該固定筒２５から突出したリブ部２５ａに挟まれている。このため、引出状態ではフック部１６ｂは、たとえ弾性変形しても摺動筒３２の係止部３２ａを乗り越えることができず、スナップフィット結合は解除されない。また、このとき、スナップフィット結合を利用した組み立てを行うことも困難である。
【００４２】
図８中、接眼ラバー１６のフック部１６ｂと摺動筒３２の係止部３２ａとが当接する係合幅をＤ１とし、接眼ラバー１６のフック部１６ｂと固定筒２５のリブ部２５ａの先端部との隙間をＤ２とした場合、係合幅Ｄ１＞隙間Ｄ２の関係であることが好ましい。これによって、接眼ラバー１６が撓んだとしても、接眼ラバー１６と摺動筒３２とのスナップフィット結合が保持され、解除され難くなる。
【００４３】
本実施の形態において、ファインダユニット１４の引出状態におけるスナップフィット結合部分と固定筒２５の内壁面との間隔は、ファインダユニット１４の収納状態における結合部分と固定筒２５の内壁面との間隔よりも狭くなるように構成されている。これによって、特に、ファインダユニット１４の引出状態におけるスナップフィット結合の外れ抑制効果が増大されている。
【００４４】
次に、デジタルカメラ１０における節電対策について説明する。
【００４５】
ファインダユニット１４には、当該ファインダユニット１４が引き出されたか否かを検出する検出スイッチ２４が設けられており、検出スイッチ２４は、固定筒２５に固定されている。
【００４６】
図１０は、撮像装置における検出スイッチを説明するための図であり、（ａ）は、ファインダユニット１４の収納状態をし示し、（ｂ）は、ファインダユニット１４の引出状態（使用状態）を示す。
【００４７】
（ａ）において、接眼ラバー１６の下部には段差１６ａが設けられている。ファインダユニット１４の収納状態において、段差１６ａの作用により検出スイッチ２４の押し子２４ａが下方に押し込まれて検出スイッチ２４はファインダユニット１４が収納されたオン状態を示している。
【００４８】
一方、（ｂ）のように、ファインダユニット１４の引出状態では、検出スイッチ２４の押し子２４ａは図示省略したの弾性部材の作用によって上方に向かって付勢されており、検出スイッチ２４はファインダユニット１４が引き出されたオフ状態を示している。このように、検出スイッチ２４は、接眼ラバー１６の段差１６ａを利用してファインダユニット１４が収納状態にあるか引出状態にあるかを検知する。
【００４９】
検出スイッチ２４の検出結果に基づいて節電が図られている。
【００５０】
図１１は、撮像装置の背面図である。デジタルカメラ１０の背面にはＬＣＤユニット５０が配置されている。ＬＣＤユニット５０の上部には、接眼検知センサとしてのアイセンサ５２が取り付けられている。アイセンサ５２は、ユーザの顔が近づいて、ユーザがファインダユニット１４のファインダを覗いたことを検知する。
【００５１】
ファインダユニット１４の収納状態では、ＬＣＤユニット５０内のＬＣＤパネル５１の画面のみに画像が表示される。一方、ファインダユニット１４をポップアップさせ、ユーザ側に引出された引出状態では、ファインダユニット１４とＬＣＤパネル５１は並んで見えるが、ＬＣＤユニット５０のＬＣＤパネル５１の画面のみが有効になる。
【００５２】
すなわち、ファインダユニット１４は、ポップアップし、かつ引出状態で、ユーザの顔が近づいてアイセンサ５２がＯＮになった場合のみに画像を表示するように構成されている。従って、ファインダユニット１４が収納状態又はポップダウン状態の場合には、ＬＣＤパネル５１の画面のみが有効となる。一方、ファインダユニット１４がポップアップかつ引出状態で、アイセンサ５２がＯＮになった場合には、ファインダユニット１４の画面のみが有効となる。このように、表示画面をファインダユニット１４とＬＣＤパネル５１の何れか一方に限定することによって節電が図られている。
【００５３】
図１２は、ＬＣＤユニットを１８０°チルトさせた状態の撮像装置を示す側面図である。
【００５４】
図１２において、ＬＣＤユニット５０と共にＬＣＤパネル５１がチルト（傾くこと）した場合、ＬＣＤパネル５１によりファインダユニット１４が収納方向に押される構成になっている。このため、ＬＣＤユニット５０のＬＣＤパネル５１がチルトすると、ファインダユニット１４がＬＣＤパネル５１に押されて収納状態になり、この収納状態を検出スイッチ２４が検知（ＯＮ）する。検出スイッチ２４によってファインダユニット１４が収納状態になったことが検知されると、ファインダユニット１４への画像の表示が停止され、ＬＣＤパネル５１に画像が表示される。また、ファインダユニット１４が収納状態であれば、アイセンサ５２による接眼検出の必要がなくなるので、アイセンサ５２の電源も切られる。これによって、使用状態でないファインダユニット１４への画像表示、及び、不必要なアイセンサ５２の電源を切断することによる節電が図られている。なお、この場合、ＬＣＤパネル５１は、画像を表示する表示状態を維持する。
【００５５】
次に、デジタルカメラ１０における装置の小型化対策について説明する。
【００５６】
図１３は、レンズ鏡筒ユニット１３とファインダユニット１４と検出スイッチ２４の位置関係を示す図であり、（ａ）は、カメラ本体を被写体側からみた図、（ｂ）は、カメラ本体を撮像面側からみた図である。
【００５７】
図１３（ａ）、（ｂ）において、ファインダユニット１４の収納状態を検出する検出スイッチ２４は、固定筒２５内部で、レンズ鏡筒ユニット１３から離れたカメラ本体の外装側面寄りに配置されている。これによって、ファインダユニット１４内のＥＶＦの配線と検出スイッチ２４との位置が近くなるので、配線上、有利となる。
【００５８】
また、（ｂ）において、センサーホルダ４９は、レンズ鏡筒ユニット１３内で最も最外形が大きく、Ｚ軸方向でプラスの後方に配置されている。センサーホルダ４９とファインダユニット１４は、（ｂ）中、斜め方向に隣り合う、隣接状態にある。隣接部近傍に検出スイッチ２４を配置させようとすると、レンズ鏡筒ユニット１３とファインダユニット１４との間に検出スイッチ２４を入り込ませる必要がある。このため、レンズ鏡筒ユニット１３とファインダユニット１４との間隔が大きくなり、結果として、カメラ全体が大きくなってしまうという問題がある。従って、本実施の形態では、検出スイッチ２４は、レンズ鏡筒ユニット１３のセンサーホルダ４９から離れたファインダユニット１４の下方であって、カメラ本体の外装側面寄りの位置に配置されており、カメラ全体の小型化が図られている。
【００５９】
以下、検出スイッチ２４をレンズ鏡筒ユニット１３のセンサーホルダ４９から離れたファインダユニット１４の下方で、カメラ本体の外装側面寄りに配置することによるメリットについて、模式図を用いて詳細に説明する。
【００６０】
図１４は、レンズ鏡筒ユニットとファインダユニットと検出スイッチの位置関係を示す模式図である。図１４（ａ）において、デジタルカメラ１１０の中央にレンズ鏡筒ユニット１１３が配置され、紙面右上にファインダユニット１１４が配置され、検出スイッチ１２４はファインダユニット１１４の下方の側面外装寄りに配置されている。（ａ）中、デジタルカメラ１１０の向かって右上の破線部はポップアップした引出状態のファインダユニット１４の位置を示しており、矢印Ｙは、ファインダユニット１４のポップダウンする方向と距離を示している。
【００６１】
一方、（ｂ）において、検出スイッチ２２４はレンズ鏡筒ユニット２１３寄りの位置に配置されている。デジタルカメラ２１０の中央にレンズ鏡筒ユニット２１３が配置され、紙面右上にファインダユニット２１４が配置され、検出スイッチ２２４がファインダユニット２１４の下方のレンズ鏡筒ユニット１３寄りに配置されている。デジタルカメラ２１０の向かって右上の破線部はポップアップした引出状態のファインダユニット２１４の位置を示しており、矢印Ｙ’はファインダユニット２１４のポップダウンする方向と距離を示している。
【００６２】
検出スイッチ２２４をファインダユニット２１４の下方のレンズ鏡筒ユニット２１３寄りに配置した（ｂ）では、ファインダユニットがポップダウンできる矢印Ｙ’で示す距離は、（ａ）の矢印Ｙの距離と比較して短くなり、その結果カメラ全体が大型化している。これに対して、検出スイッチ１２４を（ａ）の位置に配置した本実施の形態は、ファインダユニットがポップダウンする距離を大きく取れるので、カメラ全体を大型化する必要がなく、小型化を図ることができる。
【００６３】
次に、図１５は、摺動筒３２及び表示パネル３６を光軸方向の＋Ｚ側から見た図である。
【００６４】
図１５において、ガイドバー２６を支持するための穴４６、４７は、ファインダユニット１４の投影面内、すなわち光軸方向から見て表示パネル３６の外郭３６ａの内側に位置している。そして、穴４６、４７に支持される２本のガイドバー２６も、光軸方向から見て外郭３６ａの内側に位置する。また、摺動筒３２の内周部４５も、光軸方向から見て外郭３６ａの内側に収まっている。これらによっても、デジタルカメラ１０において、光軸方向に垂直な方向における小型化が図られている。
【００６５】
また、デジタルカメラ１０では、ファインダユニット１４を引出状態から収納状態に移行させる際、摺動筒３２の一部とパネルカバー３３の一部とが光軸方向に重なるように構成されている。すなわち、収納状態においては、摺動筒３２とパネルカバー３３の凸部４３とは光軸方向（Ｚ方向）に長さαの範囲で重なっている（図７参照）。このように、収納状態において凸部４３の周囲に摺動筒３２が位置することで、ファインダユニット１４を長さαの分だけ小型化することができる。
【００６６】
これに対して、パネルカバー３３が凸部４３を有しない従来のデジタルカメラでは、カメラ全体の小型化を図ることができない。
【００６７】
図１６は、従来のデジタルカメラ（撮像装置）におけるパネルユニットの斜視図である。図１６において、従来のファインダユニット１４４は、防塵ガラス３５の周囲におけるパネルカバー３３の形状が凸部４３を有しないフラット形状である。このため、摺動筒３２とパネルカバー３３を光軸方向に重ねて配置することができず、カメラ本体の小型化を図ることはできない。
【００６８】
また、本実施の形態では、図４に示したように、パネルカバー３３の通気用の開口部３３ｂが、防塵ガラス３５よりも光軸Ｃから遠い位置に形成されている。すなわち、通気シート３４は、凸部４３に設けられた防塵ガラス３５よりも光軸Ｃから遠い位置であって光軸方向から見て視度調整機構（カム２７、視度調整レバー２８、Ｏリング２９）と重なるような位置に配置されている。これらにより、光軸方向におけるファインダユニット１４の小型化が図られている。
【００６９】
また、通気シート３４は、凸部４３の外側で張出部４１に対向した位置であって（図４（ａ）、（ｂ））、摺動筒３２の移動方向である光軸方向に対して垂直に配置されている。
【００７０】
そして、通気シート３４は、光軸方向における防塵ガラス３５がある側から開口部３３ｂを覆うようにパネルカバー３３に貼り付けられている。従って、この反対側である、表示パネル３６側から通気シート３４に貼り付けた場合と比べると、通気シート３４と表示パネル３６とが光軸方向から見て重なる図４（ａ）の長さβの範囲だけ、通気シート３４の配設面積を大きく確保することができる。また、通気シート３４は、光軸方向から見て表示パネル３６と重なる。さらに、通気シート３４は、光軸方向に垂直な方向において穴４６、４７の間、すなわち、２本のガイドバー２６の間に位置する（図６参照）。これらによっても、スペースを有効に利用し、ファインダユニット１４を大型化することなく通気シート３４の面積を大きくとることができ、特に、光軸Ｃに直交する方向においてファインダユニット１４の小型化が図られている。
【００７１】
本実施の形態によれば、固定筒２５の摺動筒３２との接続端に、接眼ラバー１６と摺動筒３２とのスナップフィット結合部分を外部から内側に向かって支持するリブ部２５ａを設けた。これによって、ファインダユニット１４の引出状態におけるスナップフィット結合の外れが抑制され、収納状態においてはスナップフィット結合の外れが抑制されない状態となる。従って、ファインダユニット１４の収納状態での組み立て容易性を確保しつつ、ファインダユニット１４の引出状態においてスナップフィット結合の外れを抑制することができる。
【００７２】
本実施の形態において、接眼ラバー１６のフック部１６ｂと摺動筒３２の係止部３２ａとが当接する係合幅をＤ１とし、接眼ラバー１６のフック部１６ｂと固定筒２５のリブ部２５ａとの隙間をＤ２とした時、係合幅Ｄ１＞隙間Ｄ２の関係であることが好ましい。これによって、接眼ラバー１６と摺動筒３２とのスナップフィット結合が有効に保持され、解除され難くなる。
【００７３】
また、本実施の形態において、ファインダユニット１４の引出状態におけるスナップフィット結合部分と固定筒２５の内壁面との間隔は、ファインダユニット１４の収納状態における両者の間隔よりも狭くなるように構成されている。これによって、特に、ファインダユニット１４の引出状態におけるスナップフィットの外れ抑制効果を増大させることができる。
【００７４】
以上、本発明の実施の形態について撮像装置を用いて説明したが、本発明は、これら特定の実施の形態に限られるものではなく、この発明の要旨を逸脱しない範囲の様々な形態も本発明に含まれる。すなわち、本発明の特徴的な構成は、撮像装置以外の装置に対しても適用することができる。例えば、スナップフィット接合による接合部を有するユニットであって、当該ユニットがその位置を変更するように構成された撮像装置以外の装置にも、本発明の上述した特徴的な構成を適用することができる。
【符号の説明】
【００７５】
１０  デジタルカメラ（撮像装置）
１３  レンズ鏡筒ユニット
１４  ファインダユニット
１５  接眼ガラス
１６  接眼ラバー（第３の筒状部材）
１６ｂ  フック部
１７  視度調整レバー
２０  第２のレンズ
２２  第１のレンズ
２３  レンズホルダ
２４  検出スイッチ
２５  固定筒（第１の筒状部材）
２５ａ  リブ部
３２  摺動筒（第２の筒状部材）
３２ａ  係止部
３３  パネルカバー
５０    ＬＣＤユニット
５１    ＬＣＤパネル
【図１】
2020122826.tif 000003
【図２】
2020122826.tif 000004
【図３】
2020122826.tif 000005
【図４】
2020122826.tif 000006
【図５】
2020122826.tif 000007
【図６】
2020122826.tif 000008
【図７】
2020122826.tif 000009
【図８】
2020122826.tif 000010
【図９】
2020122826.tif 000011
【図１０】
2020122826.tif 000012
【図１１】
2020122826.tif 000013
【図１２】
2020122826.tif 000014
【図１３】
2020122826.tif 000015
【図１４】
2020122826.tif 000016
【図１５】
2020122826.tif 000017
【図１６】
2020122826.tif 000018